(57)【特許請求の範囲】
【請求項１】
容器本体とポンプとを備えるポンプ付き容器であって、
ポンプは、容器本体の口筒部に装着される装着キャップを有し、
装着キャップは、口筒部外周の被係止部に係止する係止片が形成され、
係止片は、装着キャップを口筒部から取り外すときに破断される連結部を介して装着キャップに接続され、
係止片は、一端が装着キャップに連結部を介して接続され、一端から他端に向けて外方へ広がって形成されることを特徴とするポンプ付き容器。
【請求項２】
装着キャップは、外周部をカバー部材で被冠することにより係止片を内方へ屈曲されることを特徴とする請求項１に記載のポンプ付き容器。
【請求項３】
容器本体とポンプとを備えるポンプ付き容器であって、
ポンプは、容器本体の口筒部に装着される装着キャップを有し、
装着キャップは、口筒部外周の被係止部に係止する係止片が形成され、
係止片は、装着キャップを口筒部から取り外すときに破断される連結部を介して装着キャップに接続され、
係止片は、周方向の両側が装着キャップに連結部を介して接続され、
装着キャップは、係止片の上部に貫通窓が形成されることを特徴とするポンプ付き容器。
【請求項４】
連結部は、薄肉の弱化部により形成されることを特徴とする請求項１〜３のいずれかに記載のポンプ付き容器。
【発明の詳細な説明】
【技術分野】
【０００１】
本発明は、容器に洗剤や化粧料、調味料等の内容液を収容し、容器に装着されたポンプにより内容液を外部に取り出すポンプ付き容器に関し、詳しくは、詰め替え防止手段を備えたポンプ付き容器に関するものである。
【背景技術】
【０００２】
従来、ポンプ付き容器として、口頸部（口筒部）を起立した容器体（容器本体）と、該容器体内に下端部を挿入し上端を容器体外部に突出したシリンダー形ポンプと、該ポンプを容器体に固定するキャップ状部材（装着キャップ）とからなり、噴出ヘッド（押圧ヘッド）の押圧によりシリンダー形ポンプの作用で容器体内の液を噴出ヘッドの噴出孔から噴出するように構成したものが知られている。
【０００３】
ところが、ポンプ付き容器に充填された内容液は、故意に抜き取られたり、詰め替えられたりするおそれがあり、従来のポンプ付き容器では、装着キャップと容器口筒部との螺合を外すだけで簡単にシリンダー形ポンプを除去することができ、この結果、内容液の抜き取りや詰め替えが極めて容易になされる状態にあった。
この不都合を解消するために、キャップ状部材の周壁下端面の下方に内向きフランジを位置させるとともに、該フランジの外周縁からキャップ状部材の周壁の外側に周壁を立設してなる筒状部材を口頸部に回動可能に遊嵌しているため、キャップ状部材を簡単に回動することができないようにしたポンプ付き容器が従来から知られている。（例えば、特許文献１参照）
【先行技術文献】
【特許文献】
【０００４】
【特許文献１】実公平７−１８６１１号公報
【発明の概要】
【発明が解決しようとする課題】
【０００５】
しかしながら、上記特許文献１記載のポンプ付き容器は、キャップ状部材を容器体に装着するときに使用する回動工具のようなものを用いれば、簡単にキャップ状部材を容器体から外すことができ、内容液が抜き取られたり、詰め替えられるおそれがあった。
【０００６】
本発明は、上記問題を解決することを課題とし、容器本体の口筒部から装着キャップを無理に外そうとした場合、装着キャップに形成される係止片が連結部から破断され、装着キャップを口筒部に再び装着することができないようにしたポンプ付き容器を提供することを目的とする。
【課題を解決するための手段】
【０００７】
本発明は、上記の課題を解決するため、ポンプ付き容器として、容器本体とポンプとを備えるポンプ付き容器であって、ポンプは、容器本体の口筒部に装着される装着キャップを有し、装着キャップは、口筒部外周の被係止部に係止する係止片が形成され、係止片は、装着キャップを口筒部から取り外すときに破断される連結部を介して装着キャップに接続され、係止片は、一端が装着キャップに連結部を介して接続され、一端から他端に向けて外方へ広がって形成されることを特徴とする構成を採用する。
【０００８】
装着キャップの実施形態として、装着キャップは、外周部をカバー部材で被冠することにより係止片を内方へ屈曲されることを特徴とする構成を採用する。
【０００９】
また、本発明のポンプ付き容器として、容器本体とポンプとを備えるポンプ付き容器であって、ポンプは、容器本体の口筒部に装着される装着キャップを有し、装着キャップは、口筒部外周の被係止部に係止する係止片が形成され、係止片は、装着キャップを口筒部から取り外すときに破断される連結部を介して装着キャップに接続され、係止片は、周方向の両側が装着キャップに連結部を介して接続され、装着キャップは、係止片の上部に貫通窓が形成されることを特徴とする構成を採用する。
また、連結部の具体的実施形態として、連結部は、薄肉の弱化部により形成されることを特徴とする構成を採用する。
【発明の効果】
【００１０】
本発明のポンプ付き容器は、装着キャップに、口筒部外周の被係止部に係止する係止片が形成され、係止片が、装着キャップを口筒部から取り外すときに破断される連結部を介して装着キャップに接続されることにより、容器の口筒部から装着キャップを無理に外そうとした場合、装着キャップに形成される係止片が連結部から破断され、装着キャップを容器口筒部に再び装着することができず、内容液の抜き取りや詰め替えのために装着キャップを無理やり外したことが確認できるだけでなく、係止片が、一端が装着キャップに連結部を介して接続され、一端から他端に向けて外方へ広がって形成されているので、装着キャップを口筒部に装着する際に、係止片の連結部を無理なく屈曲させることができるだけでなく、容器の口筒部から装着キャップを無理に外そうとした場合、係止片が上下方向に引っ張られることになり、係止片を連結部から破断しやすくできる。
【００１２】
さらに、本発明におけるポンプ付き容器は、係止片が、周方向の両側が装着キャップに連結部を介して接続され、係止片の上部に貫通窓が形成されるので、容器の口筒部から装着キャップを無理に外そうとした場合、係止片が周方向に引っ張られることになり、係止片を連結部から破断しやすくできる。
【図面の簡単な説明】
【００１３】
【図１】本発明の第１実施例であるポンプ付き容器を示す側面半断面図である。
【図２】第１実施例の容器本体を示す図であり、（ａ）は上面図、（ｂ）は側断面図である。
【図３】第１実施例のシリンダーと一体の装着キャップを示す図であり、（ａ）は上面図、（ｂ）は側断面図である。
【図４】第１実施例のシリンダーと一体の装着キャップを示す図であり、（ａ）は側面図、（ｂ）は下面図である。
【図５】第１実施例における装着キャップを容器口筒部に装着する状態を示す図であり、（ａ）は装着前の状態であり、（ｂ）は容器口筒部に仮装着した状態であり、（ｃ）は容器口筒部に装着を完了した状態である。
【図６】本発明の第２実施例であるポンプ付き容器を示す側面半断面図である。
【図７】第２実施例の装着キャップを示す図であり、（ａ）は上面図、（ｂ）は側面図である。
【図８】第２実施例の装着キャップを示す図であり、（ａ）は側断面図、（ｂ）は下面図である。
【図９】第２実施例の装着キャップを示す図であり、（ａ）は斜め上方から見た斜視図、（ｂ）は斜め下方から見た斜視図である。
【発明を実施するための形態】
【００１４】
次に、本発明のポンプ付き容器を噴霧容器として具体化した実施例について、図面を参照して説明する。
なお、本発明のポンプ付き容器は、本実施例の噴霧容器に限らず、吐出容器やトリガーポンプ付き容器としても具体化できる。
【実施例１】
【００１５】
図１において、Ａは内容液を収容する容器本体、Ｂは容器本体Ａ内の内容液を吸引して噴霧するポンプである。ポンプＢは容器本体Ａに対してポンプＢを装着する装着キャップＣａと、装着キャップＣａと一体のシリンダーＤと、シリンダーＤの上端に上下動可能に接続される押圧ヘッドとしての噴霧ヘッドＥとを備えている。Ｆは噴霧ヘッドＥを覆い、装着キャップＣａに嵌着されるオーバーキャップである。
なお、本実施例では、装着キャップＣａとシリンダーＤとは一体になっているが、両者は別体であっても構わない。
さらに、以下の説明において、図１でみて、上下方向を「縦方向」とし、左右方向を「横方向」とする。
【００１６】
図２に示すように、容器本体Ａは、本実施例では、縦長円筒形状の胴部１から縮径される肩部２を経て口筒部３を立設する合成樹脂製ボトルとしている。
口筒部３は、その外周３ａに、位置決め（回り止め）用に縦方向の外周リブ４と、被係止部としての周方向に連続して突設される係止部５とが形成されている。
なお、容器本体Ａは、ガラス製や金属製であっても構わない。
また、被係止部として係止部５が形成されているので、位置決めの必要がなければ、外周リブ４は無くても構わない。
【００１７】
図３および図４に示すように、装着キャップＣａは、口筒部３の外周３ａに装着する装着筒８の上端から内方へフランジ状の頂壁９を延設し、頂壁９の上面から案内筒１０を立設している。
装着筒８は、内周に、前述した口筒部３の外周リブ４と係合する縦方向の内周リブ１１が形成され、一方、外周に、縦方向の補強リブ１２が形成されている。補強リブ１２の下部には、断面形状が台形状の凸条１３が装着筒８の全周にわたり形成され、さらに、その下部には、全周にわたり横方向の薄肉の弱化部からなる連結部１４を介して断面形状が台形状の係止片１５が複数接続されている。
係止片１５は、口筒部３に装着する前の状態として、係止面１５ａが垂直になるように、一端が横方向の連結部１４を起点として斜め外方へ広がって形成されている。なお、係止片１５が斜め外方へ広がって形成されていれば、係止面１５ａの延在方向は垂直に限定されない。
【００１８】
なお、本実施例では、装着筒８の内周リブ１１は、６個ずつ４個所に形成されており、これにより装着筒８が口筒部３に対して回り止めされている。なお、内周リブ１１の個数および口筒部３の外周リブ４の個数は適宜設定することができる。
また、容器本体Ａの口筒部３の外周リブ４がない場合には、内周リブ１１は、無くても構わない。
また、本実施例では、係止片１５の数は、２４個であるが、全周にわたり形成されていれば、いくつでもよい。
【００１９】
図１および図３（ｂ）で示すように、装着キャップＣａと一体のシリンダーＤは、装着キャップＣａの頂壁９の内周縁９ａから下方に一体に垂設され、上部が大径部１７に、下部が小径部１８にそれぞれ形成されている。
シリンダーＤは、底部からパイプ保持筒１９を一体に垂設し、パイプ保持筒１９の下端部には、吸上げパイプ２０が接続されている。
【００２０】
図１に示すように、噴霧ヘッドＥは、シリンダーＤに対してコイルスプリング２２により上方に付勢された状態で案内筒１０内を上下動可能に装着したもので、シリンダーＤの底部から噴霧ヘッドＥの噴霧ノズル２３に至る液通路を備えており、装着キャップＣａと一体のシリンダーＤに対する押し下げにより、公知のポンプ作用で噴霧ノズル２３から噴霧するように構成されている。
ポンプＢの構造は、公知のものであって、容器本体Ａ内の内容液を吸上げパイプ２０から吸上げ、噴霧ノズルから噴出できるものであればよく、とくに限定されない。
【００２１】
図１に示すように、装着キャップＣａの外周は、頂部に開口部２５が形成されたカバー部材としての金冠２６が被冠されている。金冠２６の上方部は、案内筒１０を覆う小径部２６ａをなし、下方部は、装着筒８を覆う大径部２６ｂをなしており、大径部２６ｂの下部には、凸条１３と嵌合する環状凹部２７と、その下に後述するオーバーキャップＦの下端部と嵌合する環状凸部２８が形成されている。
なお、カバー部材は、金属製でも、合成樹脂製でも構わない。
【００２２】
オーバーキャップＦは、天壁３０と、天壁３０の外周端から垂設される側周壁３１とから構成され、側周壁３１の下端部内周には、金冠２６の環状凸部２８と嵌合する縮径凸部３２が形成されている。
また、容器本体Ａの口筒部３の上端面と装着キャップＣａの頂壁９の下面との間には、シール用のパッキン３３が配置されている。
【００２３】
つぎに、本実施例の使用態様と作用効果について説明する。
本実施例のポンプ付き容器は、まず、図３および図４に示すように、シリンダーＤと一体の装着キャップＣａを２４個の係止片１５が斜め外方へ広がった状態で、射出成型により一体で作製する。
その際に、係止片１５の係止面１５ａは、型抜き方向と平行しているので、容易に射出成型をすることができる。
【００２４】
つぎに、図１に示すように、シリンダーＤと一体の装着キャップＣａに、噴霧ヘッドＥを含むポンプ機構を組み込み、ポンプＢの組立を完了する。
【００２５】
つぎに、容器本体Ａに口筒部３から内容液を充填した後、以下の手順で、ポンプＢを口筒部３に装着する。
図５（ａ）に示すように、装着キャップＣａは、頂壁９の下面にパッキン３３を装着し、装着筒８の外周に上方から金冠２６を被せる。このとき、金冠２６の下端部は、装着筒８外周の凸条１３に当接するので、ここで一旦被せるのを止める。
【００２６】
つぎに、図５（ｂ）に示すように、装着キャップＣａは、装着筒８の内周リブ１１が容器本体Ａの口筒部３外周の外周リブ４と合致するように位置決めされて仮セットされる。
その際、パッキン３３は、口筒部３の上端面と頂壁９の下面との間にしっかり挟持される。
【００２７】
つぎに、図５（ｃ）に示すように、装着筒８の凸条１３に当接して途中で止まっている金冠２６は、図１で示す小径部２６ａと大径部２６ｂとの間の段部を治具によって押し込むことにより、金冠２６の下端部が凸条１３を乗り越える。
すると、金冠２６の下端部は、係止片１５に当接するので、係止片１５は、口筒部３側に向かって薄肉の連結部１４で屈曲され、最終的に、係止片１５は、その係止面１５ａが口筒部３の係止部５と係合してアンダーカット嵌合される。
さらに、金冠２６は、その環状凹部２７が装着筒８の凸条１３に係合するまで押し込まれ、装着キャップＣａの被冠が完了する。
装着キャップＣａの案内筒１０上端と、金冠２６の頂部下面とが当接した際に、凸条１３が環状凹部２７に係合するように構成してもよい。
また、最初から金冠２６を装着キャップＣａの外周にセット（係止片１５を被覆する）した後に、装着キャップＣａを口筒部３へ装着してもよい。この場合、装着キャップＣａと金冠２６とは、接着剤による接着（両者が樹脂の場合は溶着等も可能）してもよく、接着する場合は、凸条１３や環状凹部２７を設けなくともよい。
【００２８】
つぎに、図１に示すように、オーバーキャップＦをポンプ付き容器の上から被せると、側周壁３１の縮径凸部３２は、金冠２６の環状凸部２８と嵌合して、オーバーキャップＦが着脱可能に装着されるようになっている。
【００２９】
本実施例のポンプ付き容器である噴霧容器を使用して内容液を噴霧するには、図１に示す状態から、オーバーキャップＦを持ち上げ、側周壁３１の縮径凸部３２と金冠２６の環状凸部２８との嵌合を解除し、オーバーキャップＦを取り外す。
つぎに、容器本体Ａの胴部１を指で掴み、噴霧ヘッドＥをコイルスプリング２２の付勢力に抗して押し下げると、ポンプ作用により、容器本体Ａ内の内容液を吸上げパイプ２０から吸い上げ、噴霧ノズル２３から霧状となって噴霧することができる。
【００３０】
容器本体ＡからポンプＢを外して内容液を抜き取ったり、詰め替えたりしようとして、装着キャップＣａを無理やり持ち上げて外そうとすると、係止片１５は、係止面１５ａが口筒部３の係止部５に係止されているために、薄肉の弱化部からなる連結部１４が破断して、再び装着キャップＣａを口筒部３に装着することができなくなる。
以上のように、本実施例の噴霧容器は、一度、ポンプＢが容器本体Ａに装着されると、装着筒８の係止片１５を連結部１４から破断しない限り装着キャップＣａを外すことができないので、不正に容器本体Ａ内の内容液を抜き取ったり、詰め替えたりすることが防止できる。
【００３１】
また、装着筒８の係止片１５は、一端が装着キャップに薄肉の連結部１４を介して接続されているので、装着キャップＣａを口筒部３に装着する際に、係止片１５の連結部１４を無理なく屈曲させることができるだけでなく、係止片１５を上下方向に引っ張ると連結部１４から破断しやすくできる。
【実施例２】
【００３２】
つぎに、装着キャップの構造を変更した第２実施例について説明する。
本実施例については、第１実施例と同一の構成部分には同一の符号を付して図示することで詳しい説明を省略し、相違点を中心に説明する。
図６において、Ａは内容液を収容する容器本体、Ｂは容器本体Ａ内の内容液を吸引して噴霧するポンプである。ポンプＢは容器本体Ａに対してポンプＢを装着する装着キャップＣｂと、装着キャップＣｂと一体のシリンダーＤと、シリンダーＤの上端に上下動可能に接続される押圧ヘッドとしての噴霧ヘッドＥとを備えている。Ｆは噴霧ヘッドＥを覆い、装着キャップＣｂに嵌着されるオーバーキャップである。
【００３３】
第２実施形態における容器本体は、図２に示す第１実施形態の容器本体Ａにおける係止部５が、後述する係止片４５に対応する部分のみが突設する間欠環状に形成されている。
図７および図８に示すように、装着キャップＣｂは、口筒部３の外周３ａに装着する装着筒３８の上端から内方へフランジ状の頂壁３９を延設し、頂壁３９の上面から案内筒４０を立設している。
装着筒３８は、内周に、口筒部３の外周リブ４と係合する内周リブ４１が形成され、一方、外周に、補強リブ４２が形成されている。
図９に示すように、装着筒３８には、上端から縦長の貫通窓４３が形成され、貫通窓４３の下部に、周方向の両側が薄肉の弱化部からなる連結部４４を介して側面視矩形状の係止片４５が左右から接続されている。
【００３４】
なお、本実施例では、装着筒３８の内周リブ４１は、６個ずつ４個所に形成されているが、内周リブ４１の個数および口筒部３の外周リブ４の個数は適宜設定できる。
本実施例において、内周リブ４１および外周リブ４は、係止片４５と間欠環状に設けられた係止部５との位置合わせを行うように構成されている。
また、本実施例では、貫通窓４３および係止片４５の数は、４個であるが、２個以上であれば、いくつでもよい。
【００３５】
ここで、本実施例の使用態様と作用効果について説明する。
本実施例の装着キャップＣｂは、第１実施例の装着キャップＣａにおいて、係止片の構造を変更するとともに、連結部を設ける方向および個所を変更したものに相当する。
すなわち、本実施例の場合は、連結部４４を係止片４５の周方向の両側に設けるとともに、係止片４５の上部は、壁部を設けず、貫通窓４３を形成している。
【００３６】
本実施例の装着キャップＣｂは、ポンプＢを容器本体Ａに装着した後、装着キャップＣｂを無理に外そうとしても、第１実施例と同様に、装着キャップＣｂを口筒部３に対して上方に引き上げようとすると、係止片４５は、口筒部３の係止部５に上端が係止されているために、係止片４５の周方向の両側で接続されている薄肉の連結部４４が破断してしまう。
すると、装着キャップＣｂは、係止片４５が欠落しているので、再び容器本体Ａの装着することができなくなる。
その他の作用効果は、第１実施例と同様である。
【産業上の利用可能性】
【００３７】
本発明のポンプ付き容器は、内容液を霧状に吐出する噴霧容器に限らず液状のまま吐出する吐出容器、泡状に吐出するフォーマーポンプやトリガーポンプ付き容器にも適用でき、ポンプを口筒部に装着する容器として広く使用することができるものであり、特に、洗剤や化粧料、調味料などを充填して、ポンプ作用により内容液を取り出すポンプ付き容器として好適である。
【符号の説明】
【００３８】
Ａ        容器本体
Ｂ        ポンプ
Ｃａ、Ｃｂ  装着キャップ
Ｄ        シリンダー
Ｅ        噴霧ヘッド（押圧ヘッド）
Ｆ        オーバーキャップ
１        胴部
２        肩部
３        口筒部
３ａ      外周
４        外周リブ
５        係止部（被係止部）
８、３８  装着筒
９、３９  頂壁
９ａ      内周縁
１０、４０  案内筒
１１、４１  内周リブ
１２、４２  補強リブ
１３        凸条
１４、４４  連結部
１５、４５  係止片
１５ａ      係止面
１７        大径部
１８        小径部
１９        パイプ保持筒
２０        吸上げパイプ
２２        コイルスプリング
２３        噴霧ノズル
２５、５０  開口部
２６、５１  金冠（カバー部材）
２６ａ      小径部
２６ｂ      大径部
２７        環状凹部
２８、５２  環状凸部
３０        天壁
３１        側周壁
３２        縮径凸部
３３        パッキン
４３        貫通窓
【図１】
0006345083.tif 000002
【図２】
0006345083.tif 000003
【図３】
0006345083.tif 000004
【図４】
0006345083.tif 000005
【図５】
0006345083.tif 000006
【図６】
0006345083.tif 000007
【図７】
0006345083.tif 000008
【図８】
0006345083.tif 000009
【図９】
0006345083.tif 000010